(57)【特許請求の範囲】
【請求項１】
光アクセスネットワークのための光データ伝送装置（ＯＴＤ）であって、
光伝送信号（ＯＳ）を発生するように動作可能なレーザ送信ユニット（ＬＤ）と、
前記光伝送信号（ＯＳ）がデータ信号に従って変調されるように、前記レーザ送信ユニット（ＬＤ）を制御するように動作可能な、少なくとも１つの駆動ユニット（ＬＤＵ）と、
受信した光信号（ＲＯＳ）の少なくとも一部分を、フォトダイオード（ＰＤ）および電気増幅器（ＴＩＡ）を用いて電気測定信号（ＥＭＳ）に変換するように構成された光受信ユニット（ＯＲＸ）であって、前記レーザ送信ユニット（ＬＤ）から分離している、前記光受信ユニット（ＯＲＸ）と、
前記光伝送信号（ＯＳ）が測定信号に従って変調されるように、前記レーザ送信ユニットを制御するように動作可能な少なくとも１つの制御ユニット（ＭＣ、ＯＣ）と、
を備え、
前記制御ユニット（ＭＣ、ＯＣ）は、
測定インターバル（Ｉ１）の間に複数の電気測定信号を測定し、測定された信号に基づいて平均化された受信した電気測定信号を決定し、
前記電気増幅器（ＴＩＡ）が、前記測定インターバル（Ｉ１）の前の時間インターバル（Ｉ０）の少なくとも一部分の間にオフにされるように、かつ、前記電気増幅器（ＴＩＡ）が、前記測定インターバル（Ｉ１）の間にオンにされるように前記電気増幅器（ＴＩＡ）を制御することにより、前記電気増幅器（ＴＩＡ）が前記光受信ユニット（ＯＲＸ）内に熱エネルギーを発生させ、前記発生した熱エネルギーを前記光受信ユニット（ＯＲＸ）から前記レーザ送信ユニット（ＬＤ）に放散させることで、前記レーザ送信ユニット（ＬＤ）の温度変化を引き起こし、前記レーザ送信ユニット（ＬＤ）によって発生される前記光伝送信号（ＯＳ）の中心波長を変化させる
ようにさらに動作可能である、光データ伝送装置（ＯＴＤ）。
【請求項２】
前記制御ユニット（ＭＣ、ＯＣ）が、電気的接続によって前記電気増幅器（ＴＩＡ）の電源に接続され、
前記制御ユニットが、前記電気的接続を通じて前記電気増幅器（ＴＩＡ）の前記電源（ＰＳ）をオフにすることによって前記電気増幅器（ＴＩＡ）をオフにする、請求項１に記載の光データ伝送装置（ＯＴＤ）。
【請求項３】
前記制御ユニット（ＭＣ、ＯＣ）が、電気的接続によって前記電気増幅器（ＴＩＡ）に接続され、
前記制御ユニットが、前記電気的接続を通じて前記電気増幅器（ＴＩＡ）をオフにする、請求項１に記載の光データ伝送装置（ＯＴＤ）。
【請求項４】
前記レーザ送信ユニット（ＬＤ）および前記光受信ユニット（ＯＲＸ）が、
前記光伝送信号（ＯＳ）を光インターフェースに供給し、
前記光インターフェースから前記受信した光信号（ＲＯＳ）を受信する
ように動作可能である光サブアセンブリ（ＯＳＡ）に光学的に接続される、請求項１に記載の光データ伝送装置（ＯＴＤ）。
【請求項５】
前記レーザ送信ユニット（ＬＤ）および前記光受信ユニット（ＯＲＸ）が、前記光サブアセンブリ（ＯＳＡ）に機械的に接続される、請求項４に記載の光データ伝送装置（ＯＴＤ）。
【請求項６】
前記光サブアセンブリ（ＯＳＡ）が金属ケーシング内に封入される、請求項５に記載の光データ伝送装置（ＯＴＤ）。
【請求項７】
前記制御ユニット（ＭＣ、ＯＣ）が、非測定の時間インターバル（Ｉ０、Ｉ２）のそれぞれの少なくとも一部分の間に前記電気増幅器（ＴＩＡ）がオフにされるように、非測定および測定の交互の時間インターバルの間に前記電気増幅器（ＴＩＡ）を制御するように動作可能である、請求項１に記載の光データ伝送装置（ＯＴＤ）。
【請求項８】
前記測定信号が、所定のビットレートを有するビットシーケンスを表す、請求項１に記載の光データ伝送装置（ＯＴＤ）。
【請求項９】
オン−オフキーイングを用いて前記データ信号に従って前記光信号（ＯＳ）が変調されるように、前記駆動ユニット（ＬＤＵ）が、前記レーザ送信ユニット（ＬＤ）を制御するように動作可能である、請求項１に記載の光データ伝送装置（ＯＴＤ）。
【請求項１０】
前記制御ユニット（ＭＣ、ＯＣ）が、前記平均化された受信した電気測定信号を表す測定データ信号を、データバス（Ｉ２Ｃバス）に供給するようにさらに動作可能である、請求項１に記載の光データ伝送装置（ＯＴＤ）。
【請求項１１】
前記制御ユニット（ＭＣ、ＯＣ）が、前記駆動ユニット（ＬＤＵ）の動作点を制御するように動作可能である、請求項１に記載の光データ伝送装置（ＯＴＤ）。
【請求項１２】
光データ受信ユニット（ＯＤＲＸ）をさらに備え、
前記レーザ送信ユニット（ＬＤ）が、第１の波長において前記光信号（ＯＳ）を送信するように動作可能であり、
前記光データ受信ユニット（ＯＤＲＸ）が、前記第１の波長とは異なる第２の波長において受信した光信号を通じて、データを受信するように動作可能である、請求項１に記載の光データ伝送装置（ＯＴＤ）。
【請求項１３】
前記制御ユニット（ＭＣ、ＯＣ）が、前記電気増幅器（ＴＩＡ）の電源（ＰＳ）をオフにすることによって、前記電気増幅器（ＴＩＡ）を間接的にオフにする、
あるいは、前記制御ユニット（ＭＣ、ＯＣ）が、前記電気増幅器（ＴＩＡ）に前記制御信号を供給することによって、前記電気増幅器（ＴＩＡ）を直接オフにする、請求項１に記載の光データ伝送装置（ＯＴＤ）。
【請求項１４】
光データ伝送の方法であって、
レーザ送信ユニット（ＬＤ）を用いて光伝送信号（ＯＳ）を発生するステップと、
少なくとも１つの駆動ユニット（ＬＤＵ）を用いて、前記光伝送信号（ＯＳ）がデータ信号に従って変調されるように、前記レーザ送信ユニット（ＬＤ）を制御するステップと、
フォトダイオード（ＰＤ）および電気増幅器（ＴＩＡ）を備える光受信ユニット（ＯＲＸ）を用いて、受信した光信号（ＲＯＳ）の少なくとも一部分を電気測定信号（ＥＭＳ）に変換するステップであって、前記光受信ユニット（ＯＲＸ）は前記レーザ送信ユニット（ＬＤ）から分離している、変換するステップと、
少なくとも１つの制御ユニット（ＭＣ、ＯＣ）を用いて、前記光伝送信号（ＯＳ）が測定信号に従って変調されるように、前記レーザ送信ユニットを制御するステップと
を含み、
前記制御ユニット（ＭＣ、ＯＣ）を用いて
測定インターバル（Ｉ１）の間に複数の電気測定信号を測定し、測定された信号に基づいて平均化された受信した電気測定信号を決定するステップと、
前記測定インターバル（Ｉ１）の前の時間インターバル（Ｉ０）の少なくとも一部分の間に、前記電気増幅器（ＴＩＡ）がオフにされるように、かつ、前記測定インターバル（Ｉ１）の間に、前記電気増幅器（ＴＩＡ）がオンにされるように前記電気増幅器（ＴＩＡ）を制御することにより、前記電気増幅器（ＴＩＡ）が前記光受信ユニット（ＯＲＸ）内に熱エネルギーを発生させ、前記発生した熱エネルギーを前記光受信ユニット（ＯＲＸ）から前記レーザ送信ユニット（ＬＤ）に放散させることで、前記レーザ送信ユニット（ＬＤ）の温度変化を引き起こし、前記レーザ送信ユニット（ＬＤ）によって発生される前記光伝送信号（ＯＳ）の中心波長を変化させるステップと
をさらに含む、方法。
【発明の詳細な説明】
【技術分野】
【０００１】
本発明は電気通信の分野に関し、特に光アクセスネットワークにおける光データ伝送のための装置および方法に関する。
【背景技術】
【０００２】
最近では、複数の顧客をデータ輸送のコアネットワークに接続するために、受動光ネットワーク（ＰＯＮ）とも呼ばれるアクセスネットワークが用いられる。
【０００３】
このようなアクセスネットワークにおいては、コアネットワークとアクセスネットワークの間の相互接続は、いわゆる中央局によってもたらされ、これは光回線終端装置（ＯＬＴ）を含む。
【０００４】
ＯＬＴは、好ましくは光フィーダファイバと呼ばれる少なくとも１つの光ファイバを通じて、いわゆる遠隔ノードに接続される。この遠隔ノードでは、ＯＬＴによって送信された光ダウンリンク信号は異なる光分岐に分割され、その光分岐には光ネットワークユニット（ＯＮＵ）によって１つまたは複数の顧客が接続される。
【０００５】
顧客は、光アップリンク信号を光分岐を通じて遠隔ノードに向かって送出し、遠隔ノードはこれらの光アップリンク信号を合成アップリンク信号に合成し、これを光フィーダファイバを通じて光回線終端装置に送信する。
【０００６】
装置が光信号を送信する、伝送チャネルの伝送特性を決定するために、光学時間領域反射測定法（ＯＴＤＲ）の測定技法が適用され得る。このようなＯＴＤＲ測定では、伝送チャネルの反射プロファイルが推定される。好ましくはＯＴＤＲの技法は、ＯＬＴにおいて行われる。
【０００７】
ＯＴＤＲの目的のために、光パルスの形の測定信号が、光チャネル内に送信され得る。受信した応答信号は、光チャネルによって反射された信号であるが、次いで反射プロファイルを決定するために時間領域において追跡され得る。
【０００８】
ＯＴＤＲのより進んだ技法では測定信号は、相関シーケンスを運ぶ光信号として発生され得る。次いで受信した応答信号は記録され、反射プロファイルを決定するために用いられる。反射プロファイルは、受信した応答信号のサンプルされたバージョンと、初めの相関シーケンス自体との相関をとることによって決定され得る。相関シーケンスの自己相関関数が、ディラックのデルタ関数に等しいまたはそれで近似される場合は、相関の結果は時間領域における光チャネルのインパルス応答の推定をもたらし、これは反射プロファイルの近似となる。
【０００９】
伝送データを運ぶ光伝送信号を、伝送装置を用いて光チャネル内に送信するときに、１つの可能性は、別個の装置を用いることによってＯＴＤＲの技法を行うことである。この場合、伝送装置および別個のＯＴＤＲ装置は、共に同じ光チャネルに好ましくは光カプラを通じて結合される。光チャネルは、好ましくは装置に接続された光ファイバである。
【００１０】
より進んだ技法は組込型ＯＴＤＲの技法であり、その技法では、伝送装置自体が、光伝送信号を発生するためのハードウェアと、ＯＴＤＲ測定を行うために必要なハードウェアとを含む。好ましくは光伝送信号は、相関シーケンスに従って直接変調され、この直接変調の周波数はそれが受信側におけるデータ受信を乱さないように選ばれる。直接変調された測定信号を運ぶ光伝送信号を光チャネル内に送信した後に、光伝送信号が変調されたその周波数を、受信した光信号からフィルタ除去することによって、光チャネルの応答信号を得ることができる。
【００１１】
次いで受信した応答信号は、上記で前に述べられたように信号相関の技法によって反射プロファイルを決定するために用いることができる。
【発明の概要】
【発明が解決しようとする課題】
【００１２】
本発明の目的は、組込型ＯＴＤＲ測定を行う、光データ伝送装置を改善することである。
【課題を解決するための手段】
【００１３】
光アクセスネットワークのための光データ伝送装置が提案される。装置は、光伝送信号を発生するように動作可能なレーザ送信ユニットを備える。さらに装置は、光伝送信号が、好ましくは電気データ信号であるデータ信号に従って変調されるように、レーザ送信ユニットを制御するように動作可能な駆動ユニットを備える。
【００１４】
さらに装置は、受信した光信号の少なくとも一部分を電気測定信号に変換するように構成された、光受信ユニットを備える。この変換のために光受信ユニットは、共に光受信ユニットの一体部分であるフォトダイオードおよび電気増幅器を含みそれらを使用する。光受信ユニットはさらに、レーザ送信ユニットから分離している。
【００１５】
装置はさらに、光伝送信号が測定信号に従って変調されるようにレーザ送信ユニットを制御するように動作可能な、少なくとも１つの制御ユニットを備える。
【００１６】
制御ユニットはさらに、測定インターバルの間に複数の電気測定信号を測定し、測定された電気信号に基づいて平均化された受信した電気測定信号を決定するように動作可能である。
【００１７】
さらに制御ユニットは、測定インターバルの前の時間インターバルの少なくとも一部分の間に、電気増幅器がオフにされるように、電気増幅器を制御するように動作可能である。
【００１８】
提案の装置の利点を理解するために、以下の態様が考慮されるべきである。
【００１９】
レーザ送信ユニットを用いて光伝送信号を発生するときは、この光信号は、好ましくは帯域幅と呼ばれる狭い線幅を有する固定の波長を有することができる。波長は、レーザ送信ユニットの所与の一定の温度に対しては波長も一定であるという意味で、固定である。
【００２０】
狭い線および固定の中心波長を有する光信号を、光チャネル内に送信するときは、これは結果として受信した応答信号内に存在するコヒーレントレイリーノイズを生じ得る。このようなコヒーレントレイリーノイズは、次いで測定の精度を必然的に低下させることになる。コヒーレントレイリーノイズを低減する１つの可能性は、より広い線幅を有する光伝送信号を用いることであるが、これは光チャネル内に存在する分散効果により、データ伝送に対する制約を引き起こすことになる。
【００２１】
コヒーレントレイリーノイズを低減するためのもう１つの対策は、以下のように提案の装置によって達成される：
測定インターバルの前の時間インターバルの間に電気増幅器をオフにし、次いで測定インターバルの時間の間に電気増幅器をオンにすることにより、電気増幅器は光受信ユニット内に熱エネルギーを発生するようになる。次いでこの熱エネルギーは光受信ユニットからレーザ送信ユニットに放散することができ、これは次いで温度変化を引き起こし、したがってまたレーザ送信ユニットが光伝送信号を発生する光中心波長の変化を引き起こす。データ伝送およびＯＴＤＲ測定のために用いられる光信号の中心波長の変化は、測定インターバルの間の測定に対するコヒーレントレイリーノイズの影響を低減することになる。
【００２２】
提案の装置は、発生される光信号の中心波長を変化させるように温度を変化させるために、レーザ送信ユニット内にまたはそこに直接に、追加の熱電気冷却器または熱電気加熱器を見込む必要はないという利点を有する。このために、代わりに、電気増幅器の熱エネルギーが使用され得る。これは、光伝送装置内での高度な統合化を可能にする。電気増幅器は、受信した光信号を電気測定信号に変換するために光受信ユニット内にすでに存在するので、中心波長の変化を達成するためにレーザ送信ユニットの温度変化を引き起こすように熱エネルギーを発生するための追加の構成要素を、光伝送装置内に見込む必要はない。見込む必要があるのは、制御ユニットが、測定インターバルの前の時間インターバルの間に増幅器をオフにするように動作可能であることだけである。したがって追加的なコスト、および追加の電子ボードまたは光サブモジュール寸法の増加は必要ない。さらには、追加の熱電気冷却器または加熱器のための追加の電源を見込む必要なない。これはさらに、好ましくはスモールファクタの着脱可能な光トランシーバモジュールへの、組込型ＯＴＤＲシステムの高度な統合化を可能にする。
【図面の簡単な説明】
【００２３】
【図１】一実施形態による提案の光伝送装置を示す図である。
【図２】測定および非測定の交互の時間インターバルを示す図である。
【発明を実施するための形態】
【００２４】
図１は、好ましくは光アクセスネットワークの光回線終端装置内で用いられる、光伝送装置ＯＴＤを示す。
【００２５】
装置ＯＴＤはレーザ送信ユニットＬＤを含み、これは好ましくはレーザダイオードである。好ましくはレーザ送信ユニットＬＤは半導体レーザであり、好ましい実施形態では分布帰還型（ＤＦＢ）レーザにおけるものとすることができる。送信ユニットＬＤは、中心波長および線幅を有する光信号ＯＳを発生する。光信号ＯＳは光サブアセンブリＯＳＡ内に送信される。光信号ＯＳは、好ましくはレンズＬがそこに配置される光インターフェースＯＩＦに向かって、光アイソレータＩ、ならびに光部分透過デバイスＭおよび光フィルタＦを通過する。この図１の好ましい実施形態に示されるレンズＬの代わりに、光インターフェースＯＩＦは光ファイバを接続するためのプラグ、さらには代替としていわゆるファイバピグテールを含むことができる。
【００２６】
光アイソレータＩは、送信ユニットＬＤからレンズＬに向かって伝播する光信号を透過し、一方、レンズＬから送信ユニットＬＤに向かって伝播する光信号の透過を抑圧する。
【００２７】
光部分透過デバイスＭは好ましくは光部分反射ミラーであり、これは送信ユニットＬＤからレンズＬに向かう方向に信号ＯＳのより大きな割合の部分が伝播することを可能にし、一方、この方向に伝播する信号ＯＳのより小さな割合の部分を反射する。さらにこのミラーは、光信号のより大きな割合の部分がレンズＬから送信ユニットＬＤに向かって伝播することを可能にし、一方、この方向に伝播するこのような信号のより小さな割合の部分を反射する。例として光信号のエネルギーの９０％が光部分反射ミラーによって透過され、一方、光信号のエネルギーの１０％が光部分反射ミラーによって反射される。
【００２８】
光部分透過デバイスＭは、別法では光波長分割多重（ＷＤＭ）タップカプラである。このようなタップカプラは、第１の所定の波長または波長範囲に対しては光信号ＯＳの方向に光信号を透過し、一方、第２の所定の波長または波長範囲に対してはこの方向の伝送光信号を抑圧する。好ましくは第１の所定の波長は、光信号ＯＳの波長と一致する。さらにタップカプラは、第２の波長または波長範囲に対しては光信号をレンズＬから送信ユニットＬＤに向かう方向に透過し、一方、第１の所定の波長または波長範囲に対してはレンズＬから到来する光信号を受信ユニットＯＲＸに向かって方向付ける。
【００２９】
光フィルタＦは、光信号が送信ユニットＬＤからレンズＬに向かって伝播することを可能にする。フィルタＦは、送信された光信号ＯＳの波長を有する光信号は光部分透過デバイスＭに向かってフィルタＦを通過し、一方、異なる波長の光信号はフィルタＦによって光データ受信ユニットＯＤＲＸに向かって反射されるように、レンズＬからフィルタＦに向かって伝播する光信号をフィルタする。
【００３０】
好ましくは光伝送信号ＯＳは１４９０ｎｍの波長を有するダウンリンク信号であり、一方、好ましくはネットワークの他のユニットから、装置ＯＴＤにおいて受信される、好ましくは合成アップリンク信号である光アップリンク信号ＯＵＳは１３１０ｎｍの波長を有する。
【００３１】
光伝送装置ＯＴＤはレンズＬにおいて光ファイバＯＦに接続可能であり、それに装置ＯＴＤは伝送信号ＯＳを送信し、光アップリンク信号ＯＵＳを受信する。レンズＬは、装置ＯＴＤの光インターフェースと見なすことができる。
【００３２】
レーザ送信ユニットＬＤは、光伝送信号ＯＳが電気データ信号に従って変調されるように、駆動ユニットＬＤＵによって制御される。電気データ信号は、好ましくはデータインターフェースＤＴＸを通じて装置ＯＴＤにおいて受信される。
【００３３】
制御ユニットＯＣは、光伝送信号ＯＳが測定信号に従って変調されるように、レーザ送信ユニットＬＤを制御する。測定信号は、好ましくは相関シーケンスを表すデジタル電気信号である。
【００３４】
レーザ駆動ユニットＬＤＵは、電力調整のための送信ユニットＬＤへの電気バイアス信号、および駆動ユニットＬＤＵにおいて受信されたデジタルデータに従って光信号ＯＳを変調するための電気変調信号を供給する。このデータは、好ましくはデータインターフェースＤＴＸを通じて装置ＯＴＤにおいて受信される。
【００３５】
レーザ駆動部ＬＤＵ自体は、好ましくはマイクロコントローラである、制御ユニットＭＣによって制御され、ユニットＭＣは駆動ユニットＬＤＵの動作点を制御する。さらにユニットＭＣは、温度補償が行われるように駆動ユニットＬＤＵを制御する。
【００３６】
測定信号に従った伝送信号ＯＳの変調は、好ましくは相関シーケンスとして擬似ランダムビットシーケンスを用いることによって行われる。このビットシーケンスは所定のビットレートを有し、これは好ましくは１０ＭＨｚのビットレートである。ビットシーケンスは好ましくは２１１−１の長さを有する。
【００３７】
装置ＯＴＤは、レンズＬにおいてファイバＯＦから光チャネルの応答信号ＲＯＳを受信する。次いでこの信号ＲＯＳは、光フィルタＦを通過する。この信号ＲＯＳの一部分ＦＲＯＳ１は、光部分透過デバイスＭによって光受信ユニットＯＲＸに向かって反射または抑圧される。信号ＲＯＳの残りの部分ＦＲＯＳ２は光部分透過デバイスＭによってアイソレータＩに向かって透過され、アイソレータＩはこの残りの部分ＦＲＯＳ２を、レーザユニットＬＤに到達しないように抑圧する。好ましくは、光部分透過デバイスＭがタップカプラである場合は、信号部分ＦＲＯＳ１は第１の所定の波長または波長範囲と一致する波長を有し、一方、信号部分ＦＲＯＳ２は第２の所定の波長または波長範囲と一致する波長を有する。
【００３８】
レーザ送信ユニットＬＤは、伝送信号ＯＳが測定信号に従って変調されるように、制御ユニットＯＣによって制御される。光受信ユニットＯＲＸ内では、受信した光信号の一部分ＦＲＯＳ１は、電気測定信号ＥＭＳに変換される。この目的のために受信ユニットＯＲＸは、信号部分ＦＲＯＳ１を電気信号に変換するフォトダイオードＰＤと、電気測定信号ＥＭＳを取得するために変換された電気信号を増幅する増幅器ＴＩＡとを含む。増幅器ＴＩＡは、好ましくはトランスインピーダンス増幅器である。増幅器ＴＩＡは、好ましくは電源ＰＳによって供給される電気エネルギーを使用する。
【００３９】
測定信号に従った伝送信号ＯＳの変調は、好ましくは振幅変調である。さらに受信したデータに従った光信号ＯＳの変調も、オン−オフキーイングを用いた所定のビットレートでの振幅変調である。このオン−オフキーイングは、好ましくは２．５ギガビット／秒のビットレートで行われる。
【００４０】
光信号ＯＳが測定信号に従って変調される振幅は、光信号ＯＳの最大振幅の５から１０％の範囲内であることが好ましい。
【００４１】
測定インターバル内では測定信号は、光信号ＯＳ上に連続して複数回、変調される。したがってこの測定インターバル内では光受信ユニットＯＲＸは、受信した光信号の一部分ＦＲＯＳ１をこれらのそれぞれの電気測定信号に変換することによって、複数の電気測定信号を測定する。次いで複数の電気測定信号はＯＴＤＲ制御ユニットＯＣに供給され、制御ユニットＯＣはこれらの複数の電気測定信号を記憶し、測定された電気信号に基づいて平均化された受信した電気測定信号を決定する。この平均化は、重み無しまたは重み付き平均化とすることができる。複数の受信され測定された信号の平均化を含むこの測定のやり方によって、単一の測定のみからなる測定のやり方と比べて、向上された測定の精度が達成される。
【００４２】
制御ユニットＯＣ内で決定された平均化された受信した電気測定信号は、次いでデータバスＩ２Ｃを通じて、図１に明示的に示されないデバイスに供給され得る。このようなデバイスは、次いで最終的に光チャネルの反射プロファイルを決定するために、平均化された測定信号と、相関シーケンス自体との相関をとることができる。別法としてこの相関は、制御ユニットＯＣ内で直接行うことができる。
【００４３】
制御ユニットＭＣは、測定インターバルの前の時間インターバルの少なくとも一部分の間に増幅器ＴＩＡがオフにされるように増幅器ＴＩＡを制御する。
【００４４】
この目的のために制御ユニットＭＣは、電気的接続を通じて増幅器ＴＩＡの電源ＰＳに接続される。電源ＰＳをオンおよびオフにするために制御ユニットＭＣは、電源ＰＳに「ＴＩＡイネーブル」としても示される電気制御信号ＣＳを送出する。増幅器ＴＩＡの電源ＰＳをオンおよびオフにすることによって増幅器ＴＩＡも、制御ユニットＭＣによって送出される制御信号ＣＳに従ってオンおよびオフにされる。
【００４５】
別法として、増幅器ＴＩＡの別個の電源としての電源ＰＳをオンおよびオフにする代わりに、制御ユニットＭＣは増幅器ＴＩＡに直接電気的に接続され、増幅器ＴＩＡは、電気制御信号がそこで増幅器ＴＩＡを直接オンおよびオフにすることができる図１には明示的に示されない好ましくはＰＩＮ接続による、インターフェースをもたらす。
【００４６】
上記で前に述べられたように、増幅器ＴＩＡは、それがオンにされたときに熱エネルギーを発生するようになる。したがって異なる測定および非測定のインターバルの間に増幅器ＴＩＡをオンおよびオフにすることによって、受信ユニットＯＲＸ内に存在する熱エネルギーの大きさが変化され得る。さらに受信ユニットＯＲＸ内に存在する熱エネルギーは、受信ユニットＯＲＸから別個のレーザ送信ユニットＬＤに向かって放散することができる。したがって異なるインターバルの間に増幅器ＴＩＡをオンおよびオフにすることによって、熱エネルギー放散による送信ユニットＬＤ内に存在する熱エネルギーの大きさを変化させることができる。したがって送信ユニットＬＤによって発生される光伝送信号の中心波長の変化または変動が達成され得る。
【００４７】
受信ユニットＯＲＸおよびレーザ送信ユニットＬＤは、それらが、互いに直接接続されていないそれぞれのケーシングを有するという意味で別個である。これらのケーシングは好ましくは、光サブアセンブリ（ＯＳＡ）のケーシングを通じて互いに間接的に接続することができ、これは以下でさらに詳しく述べられる。
【００４８】
図２は、異なる測定および非測定の時間インターバルを示す。
【００４９】
ネットワーク内の伝送装置を動作させるときに、反射プロファイルの測定を常に行う必要はないことから、増幅器は、受信ユニット内の電気測定信号の測定のために、反射プロファイルの測定がその間に行われるべきこのような時間インターバルの間にのみオンにすればよい。
【００５０】
測定インターバルＩ１内では測定が行われ、したがって増幅器はオンにされる。非測定の時間インターバルＩ０の間はＯＴＤＲ測定は行われず、したがってこの非測定の時間インターバルの間は増幅器はオフにされる。増幅器は、全時間インターバルＩ０の間オフにされる必要はなく、好ましくは非測定の時間インターバルＩ０の一部分の間だけオフにすることができる。
【００５１】
好ましくはＯＴＤＲ測定の時間インターバルＩ１の間に、平均化された電気測定信号が２１８の個々の電気測定シーケンスに基づくように、２１８の数の相関シーケンスが送信される。
【００５２】
好ましくは測定の時間インターバルＩ１の後に、別の非測定の時間インターバルＩ２が続き、次いでこの後にさらなる測定の時間インターバルＩ３が続く。
【００５３】
非測定の時間インターバルＩ２の少なくとも一部分の間に制御ユニットは、増幅器が時間インターバルＩ２の少なくとも一部分の間にオフにされるように増幅器を制御する。
【００５４】
測定の時間インターバルＩ３の間、増幅器は、制御ユニットの制御下でオンにされる。
【００５５】
図１に戻ると、それぞれの時間インターバルの間に増幅器ＴＩＡをオンおよびオフにすることは、前述のように制御ユニットＭＣ上で稼働するソフトウェアタスクによって行われ得る。
【００５６】
制御ユニットＭＣは好ましくはマイクロコントローラであり、制御ユニットＯＣは好ましくは特定用途向け集積回路（ＡＳＩＣ）として実装される。
【００５７】
制御ユニットＭＣおよびＯＣは、別々の制御ユニットあるいは１つの制御ユニットとして実現され得る。制御ユニットＯＣおよびＭＣは、ハードウェアおよび／またはソフトウェアの異なる組み合わせに従って、共通の制御ユニットまたは別々の制御ユニットとして実装され得る。
【００５８】
光サブアセンブリＯＳＡは、レーザ送信ユニットＬＤおよび光受信ユニットＯＲＸに光学的に接続される。したがって光サブアセンブリＯＳＡは、好ましくはレンズＬによってもたらされる光インターフェースＯＩＦに、光伝送信号ＯＦを供給することができる。
【００５９】
さらに光サブアセンブリＯＳＡは、受信した光信号ＲＯＦを光インターフェースＯＩＦから受信することができる。
【００６０】
光サブアセンブリＯＳＡは、好ましくはケーシングＣＡを有する密閉デバイスである。このケーシングに、送信ユニットＬＤおよび受信ユニットＯＲＸが機械的に接続される。さらに光データ受信ユニットＯＤＲＸも、サブアセンブリＯＳＡに機械的に接続される。
【００６１】
光サブアセンブリは、プラスチックで作られたケーシングＣＡを有することができる。代替形態によればサブアセンブリＯＳＡのケーシングＣＡは金属ケーシングであり、これは受信ユニットＯＲＸから送信ユニットＬＤに向かう、より速い熱エネルギー放散を可能にする利点をもたらす。これは、受信ユニットＯＲＸおよび送信ユニットＬＤの両方が、サブアセンブリＯＳＡのケーシングＣＡに溶接されたそれぞれの金属ケースＣＡ１、ＣＡ２内に密閉される場合に特に有利である。
【００６２】
送信ユニットＯＴＤは、好ましくは光データ受信ユニットＯＤＲＸを含み、これはアップリンク信号ＯＵＳを通じてデータを受信する。光データ受信ユニットＯＤＲＸはまた、フォトダイオードおよび増幅器を使用して、受信したデータを光アップリンク信号ＯＵＳから取り出し、これは次いでデータインターフェースＤＲＸに供給される。
【００６３】
提案の装置はまた、独立請求項において特許請求されるように光データ伝送の方法を開示し、これは提案の装置を特許請求する独立請求項に対応する種々のステップを含む。
【００６４】
「制御ユニット」としてラベルが付けられた機能ブロックを含む、図１に示される様々な要素の機能は、専用のハードウェア、ならびに適切なソフトウェアに関連してソフトウェアを実行することができるハードウェアを使用することによって実現され得る。プロセッサによって実現されるときは、機能は、単一の専用プロセッサによって、単一の共有プロセッサによって、またはその一部が共有され得る複数の個々のプロセッサによって実現され得る。さらに「制御ユニット」という用語の明示的な使用は、ソフトウェアを実行することができるハードウェアを排他的に指すものと解釈されるべきではなく、非限定的にデジタル信号プロセッサ（ＤＳＰ）ハードウェア、特定用途向け集積回路（ＡＳＩＣ）、フィールドプログラマブルゲートアレイ（ＦＰＧＡ）、ソフトウェアを記憶するためのリードオンリメモリ（ＲＯＭ）、ランダムアクセスメモリ（ＲＡＭ）、および不揮発性記憶装置を暗黙に含むことができる。他の従来型および／またはカスタムのハードウェアも含まれ得る。
【図１】
0005977445.tif 000002
【図２】
0005977445.tif 000003